(57)【要約】【課題】  本発明は、従来にない作用効果を発揮する画期的なパネル体及び家屋を提供することを目的とする。【解決手段】  対向する面状部材１，２によって形成される収納部９に粒状若しくは粉状の小充填物３を充填収納して成るパネル体であって、前記面状部材１，２同志を連結する補強連結体５をこの面状部材１，２間に架設状態に介存し、前記収納部９に充填した小充填物３が自重で移動することで生じる面状部材１，２に対する外方への圧力に対抗するように構成したものである。【選択図】      図３
2005273423.tif 000002
【特許請求の範囲】
【請求項１】
対向する面状部材によって形成される収納部に粒状若しくは粉状の小充填物を充填収納して成るパネル体であって、前記面状部材同志を連結する補強連結体をこの面状部材間に架設状態に介存し、前記収納部に充填した小充填物が自重で移動することで生じる面状部材に対する外方への圧力に対抗するように構成したことを特徴とするパネル体。
【請求項２】
前記面状部材同志を連結する長尺の補強連結体をこの面状部材間に並設状態にして架設状態に介存したことを特徴とする請求項１記載のパネル体。
【請求項３】
前記面状部材として通気性を有する面状部材を採用したことを特徴とする請求項１，２のいずれか１項に記載のパネル体。
【請求項４】
前記小充填物として籾殻炭及び木炭のいずれか一方若しくは双方を採用したことを特徴とする請求項１〜３のいずれか１項に記載のパネル体。
【請求項５】
請求項１〜４のいずれか１項に記載のパネル体を壁構造部，床構造部，屋根裏構造部などに配設される断熱体として具備することを特徴とする家屋。
【発明の詳細な説明】
【技術分野】
【０００１】
本発明は、パネル体及び家屋に関するものである。
【背景技術】
【０００２】
従来から、家屋における壁構造部，床構造部，屋根裏構造部などの各部位に配される断熱構造（断熱パネル）が種々提案される中、この断熱構造を構成する素材として無機質粒状体（無機質粉状体）としての籾殻炭等（以下、籾殻炭）が注目されている。
【０００３】
この籾殻炭は、板状断熱体を構成する素材に要求される秀れた断熱保温効果を発揮するのは勿論、湿乾度のバランス調整効果，脱臭効果，害虫予防効果、そして、特に近年問題とされる有害物質吸着分解効果（シックハウス対策効果）などの良好な各種効果を発揮することが各所で実証されている。
【発明の開示】
【発明が解決しようとする課題】
【０００４】
ところが、この一殻一殻が優れた断熱体である籾殻炭は、家屋の壁構造部等に配設される上述の背景技術や内外温度の気圧差等も最大活用するバイオ断熱素材等として適用しにくいとされ、また、その効果・有効性の実証に長い時間を要して来た。
【０００５】
即ち、この籾殻炭は、素材の性質（殻炭）から壊れ易く粒状故に零れたり飛散し易いなど取扱い性が悪い為、現場にて壁構造部等に形成したバイオ空間としての特性を持つ断熱素材を収納空間に充填するのは作業時間・難易度・コスト上からも極めて困難であった。
【０００６】
そこで、上記問題点を解消する為、予めこの籾殻炭を工場にて通気性を有する薄型収納体としての袋体に袋詰めしてパネル状の断熱体とし、この板状断熱体を現場まで運んで家屋の壁構造部等へ配設するようにすれば作業上の問題点は解消されるが、実際に、このパネル状断熱体を壁構造部等へ立設状態で配設して暫くすると、図８に図示したように籾殻炭33が自重により下方へ移動して袋体31の下方部位が膨らんだ状態となり、袋体31の上方部位に籾殻炭33が空疎、空間Ｓ（断熱体等として機能しない空間）が生じてしまうという問題点がある。
【０００７】
本出願人は、上述した問題点等に着目し、種々の実験・観察・研究を繰り返し行った結果、従来にない作用効果・効率で長年の大工業・設計等３０余年の体験でつかみ体感し得た日本の気候風土に最適な住まいの要の簡素簡明な集大成実現への手ごたえを得て、又同研鑚仲間の励まし協力を得て目的とする断熱効果、シックハウス対策効果（発明構成した該構成体内部の小充填物内に木の内部と同程度の極微量の通気性を持たせることで空気中に棲息するクリーン微生物が無機質の籾殻炭や木炭の中で酸素と極微量の水気のみで増殖・活動が活発となり、その呼吸によって自然的通気が発生し導かれる通気現象の最適誘導を興し該構成体を核として、居室全体に極緩やかに通気循環・浄清のメカニズムを生み出すバイオの働きが確認される簡素・簡便な画期的なパネル体及び家屋を開発した。
【課題を解決するための手段】
【０００８】
添付図面を参照して本発明の要旨を説明する。
【０００９】
対向する面状部材１，２によって形成される収納部９に粒状若しくは粉状の小充填物３を充填収納して成るパネル体であって、前記面状部材１，２同志を連結する補強連結体５をこの面状部材１，２間に架設状態に介存し、前記収納部９に充填した小充填物３が自重で移動することで生じる面状部材１，２に対する外方への圧力に対抗するように構成したことを特徴とするパネル体に係るものである。
【００１０】
また、前記面状部材１，２同志を連結する長尺の補強連結体５をこの面状部材１，２間に並設状態にして架設状態に介存したことを特徴とする請求項１記載のパネル体に係るものである。
【００１１】
また、前記面状部材１，２として通気性を有する面状部材１，２を採用したことを特徴とする請求項１，２のいずれか１項に記載のパネル体に係るものである。
【００１２】
また、前記小充填物３として籾殻炭及び木炭のいずれか一方若しくは双方を採用したことを特徴とする請求項１〜３のいずれか１項に記載のパネル体に係るものである。
【００１３】
また、請求項１〜４のいずれか１項に記載のパネル体を壁構造部，床構造部，屋根裏構造部などに配設される断熱体として具備することを特徴とする家屋に係るものである。
【発明の効果】
【００１４】
本発明は上述のように構成したから、前述した従来から提案される技術が持つ問題点を確実に解消することができるなど極めて商品価値の高い画期的なパネル体及び家屋となる。
【発明を実施するための最良の形態】
【００１５】
好適と考える本発明の実施形態を、図面に基づいて本発明の作用を示して簡単に説明する。
【００１６】
本発明は、面状部材１，２同志を連結する補強連結体５をこの面状部材１，２間に架設状態に介存し、収納部９に充填した小充填物３が自重で移動することで生じる面状部材１，２に対する外方への圧力に対抗するように構成したから、例えば立設状態としても面状部材１，２が外方へ撓むのを可及的に防止することができ、よって、収納部９に充填した小充填物３が下方へ移動することが可及的に防止されて該収納部９に小充填物３が充填されていない空間が生じることはない。
【００１７】
具体的には、本出願人は、前述した従来から提案されるパネル状の断熱体の上方部位に空間が生じる原因として、粒状若しくは粉状の小充填物３が持つ性質（自重により下方へ移動する流動的な性質）が影響しているのは勿論、面状部材１，２が外方へ撓むことで、この撓みの分だけ粒状若しくは粉状の小充填物３における下方へ移動が許容されてしまうからである点を見出し、これを基に種々の実験を繰り返して鋭意研究し、面状部材１，２同志を連結する補強連結体５をこの面状部材１，２間に架設状態に介存し、収納部９に充填した小充填物３が自重で移動することで生じる面状部材１，２に対する外方への圧力に対抗するように構成することで、収納部９の上方部位に小充填物３が充填されない空間が生じることを可及的に防止し得ることを確認した。
【００１８】
本発明は、上述のように構成するから、従来から提案される技術が持つ問題点を解消し得る画期的な技術となる。
【実施例】
【００１９】
本発明の具体的な一実施例について図面に基づいて説明する。
【００２０】
本実施例は、対向する面状部材１，２によって形成される収納部９に粒状若しくは粉状の小充填物３を充填収納して成るパネル体Ｐである。
【００２１】
尚、本実施例では、パネル体Ｐとして家屋の壁構造（柱間など）や床構造に配設されるパネル体Ｐとして構成しているが、例えばベットや畳の一部として構成したり、雪倉（野菜等）収納庫の一部として構成するなど、本実施例の特性を発揮する構成であればその適用範囲は多岐にわたるものである。
【００２２】
具体的には、パネル体Ｐは、基体４の前面部及び後面部にして対向位置に適度な可撓性を有する一対の面状部材１，２を配して構成されている。
【００２３】
基体４は、図１に図示したように木製の枠状体であり、上下位置に配される横材６間に複数の縦材（補強連結体５）を適宜間隔を介して並設して構成されており、家屋を構成する柱７と間柱８との間、間柱８同志の間などのパネル体Ｐを配設する箇所に適した形状（長方形）及び寸法に適宜設定されている。
【００２４】
この基体４の材質は木製に限らず適宜選択し得るものであり、通気性は木材と同等程度の素材が好ましく、これは面状部材１，２を通過した空気を積極的に籾殻炭を通過（呼吸）するように誘導するためである。
【００２５】
この基体４を構成する補強連結体５と、横材６と、該基体４の前面部及び後面部に配される面状部材１，２とで囲まれた空間は、後述する小充填物３が充填される収納部９となる。
【００２６】
また、基体４は、該基体４の前面部及び後面部に面状部材１，２を配した際、面状部材１，２同志は補強連結体５を架設状態に介存して連結されており（面状部材１，２が張設された状態となる）、収納部９に充填した小充填物３が自重で移動することで生じる面状部材１，２に対する外方への圧力に対抗するように構成されている。
【００２７】
この補強連結体５の配設方向は、家屋の壁構造部に立設状態とする場合など、後述する小充填物３が自重により下方へ移動しようとする方向となるように設定されており、このことから、面状部材１，２の撓みを防止することで小充填物３の下方への移動を阻止し得ることになる。
【００２８】
面状部材１，２は、紙材（和紙）を方形状に形成したものであり、適宜な通気性及び可撓性を具備している素材（繊維等）なら良く、面状部材１，２の材質は適宜選択し得るものである。
【００２９】
この面状部材１，２は、前述した基体４の前面部及び後面部に配されて適宜な止着具（ステープル等）で固定されている。尚、基体４の表面に対して面状部材１，２を糊などの接着手段により接着するようにしても良い。
【００３０】
尚、本実施例は、面状部材１，２を一対の別部材で構成したが、この構成に限らず、例えば正面部及び背面部が可撓性を有する面状部材で構成される薄型袋体を用意し、この薄型袋体の中に基体４を入れて対向する面状部材１，２間に補強連結体５を添設状態とする構成としても良い。
【００３１】
本実施例は、小充填物３として籾殻炭及び木炭を採用している。
【００３２】
この籾殻炭は、前述したように板状断熱体を構成する素材に要求される秀れた断熱効果を発揮するのは勿論、湿乾度調整効果，脱臭効果，特に近年問題とされる害虫予防効果や有害物質吸着分解効果（シックハウス対策効果）などの良好な各種効果を発揮することは各実証されている。
【００３３】
尚、本実施例では、小充填物３として籾殻炭を採用したが、本実施例の特性をさらに発揮する混合素材構成も有望であり適宜確認・採用し得るものである。
【００３４】
本実施例は上述のように構成したから、図５，６，７に図示したように家屋の壁構造部、床構造部、天井や屋根裏構造部などに配設することができ、特に壁構造部に配設した場合のように、立設状態としても、面状部材１，２同志を連結する補強連結体５をこの面状部材１，２間に架設状態に介存し、収納部９に充填した小充填物３が自重で移動することで生じる面状部材１，２に対する外方への圧力に対抗するように構成したから、面状部材１，２が外方へ撓むのを可及的に防止することができ、よって、収納部９に充填した小充填物３が下方へ移動することが可及的に防止されて該収納部９に小充填物３が充填されていない空間が生じることはない。
【００３５】
よって、本実施例によれば、従来から提案される技術が持つ問題点を確実に解消し得ることになる。
【００３６】
また、本実施例は、面状部材１，２同志を連結する長尺の補強連結体５をこの面状部材１，２間に架設状態にして並設状態に介存したから、この補強連結体５の存在により極めて強度面に秀れたものとなり、しかも、補強連結体５を配設することで、籾殻炭の量が少なくて済むことになり、更に、補強連結体５が微量の通気性を有するのみであるから面状部材１，２を通過する空気を確実に籾殻炭を通過させることができることになる。
【００３７】
また、本実施例は、面状部材１，２として通気性を有する面状部材１，２を採用し、小充填物３として籾殻炭を採用したから、籾殻炭の機能を十分に発揮させることができることになる。
【００３８】
また、本実施例に係るパネル体Ｐを壁構造部や床構造部や屋根裏構造部などに配設されるパネル体Ｐとして具備することで日本古来の土と紙を含む木の家と校倉造りの匠を手本とする温度・湿度を自動調整する極めて良好な家屋を提供することができる。
【００３９】
尚、本発明は、本実施例に限られるものではない。更に、基体４を構成する補強連結体５，横材６及び面状部材１，２の各材質も前述の通りの本実施例に限られるものではない。つまり、各部材の構造は、本願発明の基本精神・目的・要素である地球生態系に調和・融和する素材を基幹とする構造で、日本の気候風土に最適な住まいの基幹要素、優れた断熱保温性・湿乾度調節・脱臭・防虫予防、そして近年問題とされる有害物質の吸着・分解効果（シックハウス対策効果）等に適するよう、パネル体Ｐの空気が確実に小充填物３（籾殻炭・木炭の混合物等）を通過する誘導構造体に造られ小充填物３の多孔質の炭に生息する微生物の活動と増殖を高め又、該小充填物３を核とする本発明のパネル体Ｐを壁とする内外の温湿度差による微小な自然対流を導き醸し出すことが着眼の要であり該生態系と微流な空気の自然対流の最適環境を生み出す事が要で本出願の基本要素を満たす構造体であれば、更に製作コストの削減を可能・追及し得るもので各構成要件の具体的構成も適宜設計し得るものである。
【００４０】
尚、小充填物３を床や屋根裏に用いる場合、床は横に屋根裏は斜めに用いることが一般的な為、上下にクリーン微生物の活動・増殖を高める呼吸する木（自然の木）又は同等の素材を用いる事が要で最適な住まいの環境づくりには必須となる。
【図面の簡単な説明】
【００４１】
【図１】本実施例を示す分解斜視図である。
【図２】本実施例を示す説明斜視図である。
【図３】本実施例を示す説明平断面図である。
【図４】本実施例を示す説明側断面図である。
【図５】本実施例の使用状態説明図である。
【図６】本実施例の使用状態説明図である。
【図７】本実施例の使用状態説明図である。
【図８】従来例を示す説明側断面図である。
【符号の説明】
【００４２】
１  面状部材
２  面状部材
３  小充填物
５  補強連結体
９  収納部
【図１】
2005273423.tif 000003
【図２】
2005273423.tif 000004
【図３】
2005273423.tif 000005
【図４】
2005273423.tif 000006
【図５】
2005273423.tif 000007
【図６】
2005273423.tif 000008
【図７】
2005273423.tif 000009
【図８】
2005273423.tif 000010